(57)【要約】  狭帯域カオス２相位相変調によって信号を送受信するシステム（１１０）および方法は、入力データを受信する順方向誤り訂正エンコーダ（１１８）と、順方向誤り訂正エンコーダに結合されるデータ・パケッタイザ（１２０）と、データ・パケッタイザに結合される圧縮エンコーダ（１２２）と、圧縮エンコーダと通信する無線周波リンク（１１４）と、無線周波リンクと通信する圧縮デコーダ（１２４）と、圧縮デコーダに結合されるデータ・デパケッタイザ（１２６）と、カオスの軌道を制御することによって入力データを回復する、データ・デパケッタイザに結合される順方向誤り訂正デコーダ（１２８）とを含み、この方法は、カオス２相位相変調済みデータを示す信号を送信するステップと、送信信号を狭い周波数帯域内で伝搬するステップと、カオスの軌道を制御することにより、示されるデータを実質的に劣化させることなく伝搬した信号を受信するステップとを含んでいる。
2005514805.tif 000002
【特許請求の範囲】
【請求項１】
信号を送受信する方法であって、
カオス２相位相変調済みのデータを示す信号を送信するステップと、
送信された信号を狭い周波数帯域内で伝搬するステップと、
カオスの軌道を制御することにより、示されるデータを実質的に劣化させることなく、伝搬された信号を受信するステップとを含む方法。
【請求項２】
前記送信ステップが、
入力データを供給するステップと、
供給されたデータを順方向誤り訂正のために符号化するステップと、
符号化データをパケット化するステップと、
パケット化したデータを圧縮して変調用の符号化データを供給するステップとを更に含む、請求項１に記載の方法。
【請求項３】
前記狭い周波数帯域が、約２０ｋＨｚ未満の帯域幅を有する無線周波帯域を含む、請求項１に記載の方法。
【請求項４】
前記受信ステップが、
伝搬された信号が示すデータを圧縮解除するステップと、
圧縮解除したデータをパケット化解除するステップと、
パケット化解除したデータを復号して、送信データから実質的に劣化していない出力データを供給するステップとを更に含む、請求項１に記載の方法。
【請求項５】
前記符号化ステップが、２相位相変調によってコンポジット情報／カオス信号を搬送波信号上に変調して、カオス２相位相変調済みデータを形成するステップを更に含む、請求項２に記載の方法。
【請求項６】
前記圧縮ステップが、非線形写像関数に従ってコンポジット情報／カオス信号を２相変調して搬送波信号にのせるステップと、
２相変調した信号を結合して、抑圧搬送波信号を有する両側波帯信号を形成するステップと、
抑圧搬送波信号と上側波帯信号および下側波帯信号の一方とを阻止するステップとを更に含む、請求項２に記載の方法。
【請求項７】
前記圧縮ステップが、非線形写像関数に相当する非対称テント写像に従ってビット間隔をそれ自体に写像するステップを含む、請求項６に記載の方法。
【請求項８】
前記非対称テント写像がフローを呈する、請求項７に記載の方法。
【請求項９】
前記復号ステップが、高速検出によってコンポジット情報／カオス信号を搬送波信号から復調して、送信データを実質的に回復するステップを更に含む、請求項４に記載の方法。
【請求項１０】
前記高速検出が位相検出を含む、請求項９に記載の方法。
【請求項１１】
符号化データが、リード・ソロモン誤り訂正コードで表される、請求項１に記載の方法。
【請求項１２】
前記カオス２相位相変調済みデータを示す信号が、前記送信と前記受信の同期を助けるための非線形写像関数を用いたカオス生成に応答する、請求項１に記載の方法。
【請求項１３】
前記非線形写像関数が非対称テント写像を含む、請求項１２に記載の方法。
【請求項１４】
前記カオス２相位相変調済みデータを示す信号が、中間周波数信号である、請求項１に記載の方法。
【請求項１５】
前記カオス２相位相変調済みデータを示す信号を伝搬する前にバッファリングするステップ、および
前記カオス２相位相変調済みデータを示す信号を伝搬した後でバッファリングするステップの少なくとも一方を更に含む、請求項１に記載の方法。
【請求項１６】
前記符号化ステップが、フローを呈する非線形写像関数に従って、２相位相変調によってカオス信号を導出するステップを更に含む、請求項２に記載の方法。
【請求項１７】
フローを呈する前記非線形写像関数が非対称テント写像である、請求項１６に記載の方法。
【請求項１８】
前記復号ステップが、フローを呈する非線形写像関数に従って、位相比較および周波数比較の少なくとも一方によってカオス信号を導出するステップを更に含む、請求項４に記載の方法。
【請求項１９】
前記非線形写像関数が非対称テント写像を含む、請求項１８に記載の方法。
【請求項２０】
前記復号ステップが、
位相比較および周波数比較の前記少なくとも一方に従って、比較のための送信機写像の正確な複製を生成するステップと、
訂正用の誤り信号を生成するステップとを更に含む、請求項１８に記載の方法。
【請求項２１】
前記受信を初期パターンと同期させ、その後、カオスの軌道を制御するためにクロック信号を周期的にリセットするステップを更に含む、請求項１に記載の方法。
【請求項２２】
狭帯域カオス２相位相変調を行うシステム（１１０）であって、
入力データを受信する順方向誤り訂正エンコーダ（１１８）と、
前記順方向誤り訂正エンコーダに結合されるデータ・パケッタイザ（１２０）と、
前記データ・パケッタイザに結合される圧縮エンコーダ（１２２）と、
前記圧縮エンコーダと通信する無線周波リンク（１１４）と、
前記無線周波リンクと通信する圧縮デコーダ（１２４）と、
前記圧縮デコーダに結合されるデータ・デパケッタイザ（１２６）と、
カオスの軌道を制御することによって前記入力データを回復するための、前記データ・デパケッタイザに結合される順方向誤り訂正デコーダ（１２８）とを含むシステム。
【請求項２３】
前記順方向誤り訂正エンコーダが、
高速ビット・ストリーム・データを受信するエンコーダ（２１４）と、
前記エンコーダに結合される写像生成器（２１６）と、
前記写像生成器に結合される局部発振器（２１８）と、
前記局部発振器に結合される中間周波フィルタ（２２４）と、
前記中間周波フィルタに結合される、無線周波フィルタ（２３２）および増幅器の少なくとも一方とを含み、前記少なくとも１つの無線周波フィルタまたＨｚ往復器が搬送波信号に応答する、請求項２２に記載のシステム。
【請求項２４】
前記エンコーダが、
入力データを受信するエッジ検出器（３１６）と、
クロック信号を受信するための、前記エッジ検出器に結合される少なくとも１つのクロック分周器（３１２、３１４）と、
前記エッジ検出器および前記少なくとも１つのクロック分周器に結合される、少なくとも１つのシーケンス生成器（３１８、３２０）と、
前記少なくとも１つのシーケンス生成器に結合される乗算器（３２２）とを含む、請求項２３に記載のシステム。
【請求項２５】
前記順方向誤り訂正デコーダが、
局部発振器（４１６）と、
伝搬信号を受信するための、前記局部発振器に結合される低ノイズ増幅器およびミクサー（４１４）の少なくとも一方と、
前記少なくとも１つの低ノイズ増幅器またはミクサーに結合される帯域フィルタ（４１８）と、
前記帯域フィルタに結合される中間周波増幅器（４２０）と、
前記中間周波増幅器に結合される復調器（４２２）と、
前記復調器に結合されるレベル変換器およびフィルタ（４２４）の少なくとも一方と、
高速データ・チャネルを駆動するための、前記少なくとも１つのレベル変換器またはフィルタに結合されるデータ・デコーダ（４２６）とを含む、請求項２２に記載のシステム。
【請求項２６】
前記帯域フィルタが同調可能である、請求項２５に記載のシステム。
【請求項２７】
前記データ・デコーダが、
符号化データを受信するエッジ検出器（５１２）と、
前記エッジ検出器に結合される少なくとも１つのカウンタ（５１６、５２０）と、
前記少なくとも１つのカウンタに結合される少なくとも１つのカウント検出器（５１８、５２２）と、
前記少なくとも１つのカウント検出器に結合されるシンクロナイザ（５２６）と、
出力データをラッチするための、前記シンクロナイザに結合されるラッチ（５２８）とを含む、請求項２５に記載のシステム。
【請求項２８】
前記データ・デコーダが、位相比較器および周波数比較器の少なくとも一方を更に含む、請求項２５に記載のシステム。
【請求項２９】
信号を送受信するシステムであって、
カオス２相位相変調済みデータおよびカオス位相変調済みデータの少なくとも一方を示す信号を送信する手段と、
送信された信号を狭い周波数帯域内で伝搬する手段と、
カオスの軌道を制御することにより、示されるデータを実質的に劣化させることなく、伝搬された信号を受信する手段を含むシステム。
【請求項３０】
前記送信手段が、
入力データを供給する手段と、
供給されたデータを順方向誤り訂正のために符号化する手段と、
符号化データをパケット化する手段と、
パケット化したデータを圧縮して変調用の符号化データを供給する手段とを更に含む、請求項２９に記載のシステム。
【請求項３１】
前記狭い周波数帯域が、約１０ｋＨｚ未満の帯域幅を有する無線周波帯域を含む、請求項２９に記載のシステム。
【請求項３２】
前記受信手段が、
伝搬された信号が示すデータを圧縮解除する手段と、
圧縮解除したデータをパケット化解除する手段と、
パケット化解除したデータを復号して、送信データから実質的に劣化していない出力データを供給する手段とを更に含む、請求項２９に記載のシステム。
【請求項３３】
前記符号化手段が、２相位相変調によってコンポジット情報／カオス信号を搬送波信号上に変調して、カオス２相位相変調済みデータを形成する手段を更に含む、請求項３０に記載のシステム。
【請求項３４】
前記圧縮手段が、非線形写像関数に従ってコンポジット情報／カオス信号を変調して搬送波信号にのせる手段を更に含む、請求項３０に記載のシステム。
【請求項３５】
前記圧縮手段が、非対称テント写像に従ってビット間隔をそれ自体に写像する手段を含む、請求項３４に記載のシステム。
【請求項３６】
前記非対称テント写像がフローを呈する、請求項３５に記載のシステム。
【請求項３７】
前記復号手段が、高速検出手段によってコンポジット情報／カオス信号を搬送波信号から復調して、送信データを実質的に回復する手段を更に含む、請求項３２に記載のシステム。
【請求項３８】
前記高速検出手段が、位相検出および周波数検出の少なくとも一方の手段を含む、請求項３７に記載のシステム。
【請求項３９】
符号化データをリード・ソロモン誤り訂正コードで表す手段を更に含む、請求項２９に記載のシステム。
【請求項４０】
前記カオス２相位相変調済みデータを示す信号が、前記送信手段と前記受信手段の同期を助けるための非線形写像手段を用いたカオス生成に応答する、請求項２９に記載のシステム。
【請求項４１】
前記非線形写像手段が非対称テント写像を定義する手段を含む、請求項４０に記載のシステム。
【請求項４２】
前記カオス２相位相変調済みデータを示す信号が、中間周波数信号である、請求項２９に記載のシステム。
【請求項４３】
前記カオス２相位相変調済みデータを示す信号を伝搬する前にバッファリングする手段、および
前記カオス２相位相変調済みデータを示す信号を伝搬した後でバッファリングする手段の少なくとも一方を更に含む、請求項２９に記載のシステム。
【請求項４４】
前記符号化手段が、フローを呈する非線形写像手段に従って、２相位相変調によってカオス信号を導出する手段を更に含む、請求項３０に記載のシステム。
【請求項４５】
フローを呈する前記非線形写像手段が非対称テント写像を定義する手段を含む、請求項４４に記載のシステム。
【請求項４６】
前記復号手段が、フローを呈する非線形写像手段に従って、位相比較および周波数比較の少なくとも一方によってカオス信号を導出する手段を含む、請求項３２に記載のシステム。
【請求項４７】
前記非線形写像手段が非対称テント写像を定義する手段を含む、請求項４６に記載のシステム。
【請求項４８】
前記復号手段が、
前記位相比較および周波数比較の少なくとも一方の手段に従って、比較のための送信機写像の正確な複製を生成する手段と、
訂正用の誤り信号を生成する手段とを更に含む、請求項４６に記載のシステム。
【請求項４９】
前記受信手段を初期パターンと同期させる手段と、
カオスの軌道を制御するためにクロック信号を周期的にリセットする手段とを更に含む、請求項２９に記載のシステム。
【請求項５０】
機械により実行可能な命令のプログラムを実施して信号の送受信のための方法ステップを実行する機械によって可読なプログラム記憶装置であって、前記方法ステップが、
カオス２相位相変調済みデータおよびカオス位相変調済みデータの少なくとも一方を示す信号を送信するステップと、
送信された信号を狭い周波数帯域内で伝搬するステップと、
カオスの軌道を制御することにより、示されるデータを実質的に劣化させることなく、伝搬された信号を受信するステップとを含む、プログラム記憶装置。
【請求項５１】
前記送信ステップが、
入力データを供給するステップと、
供給されたデータを順方向誤り訂正のために符号化するステップと、
符号化データをパケット化するステップと、
パケット化したデータを圧縮して変調用の符号化データを供給するステップとを更に含む、請求項５０に記載のプログラム記憶装置。
【請求項５２】
前記狭い周波数帯域が、約１０ｋＨｚ未満の帯域幅を有する無線周波帯域を含む、請求項５０に記載のプログラム記憶装置。
【請求項５３】
前記受信ステップが、
伝搬された信号が示すデータを圧縮解除するステップと、
圧縮解除したデータをパケット化解除するステップと、
パケット化解除したデータを復号して、送信データから実質的に劣化していない出力データを供給するステップとを更に含む、請求項５０に記載のプログラム記憶装置。
【請求項５４】
前記符号化ステップが、２相位相変調によってコンポジット情報／カオス信号を搬送波信号上に変調して、カオス２相位相変調済みデータを形成するステップを更に含む、請求項５１に記載のプログラム記憶装置。
【請求項５５】
前記圧縮ステップが、非線形写像関数に従ってコンポジット情報／カオス信号を変調して搬送波信号にのせるステップを含む、請求項５１に記載のプログラム記憶装置。
【請求項５６】
前記圧縮ステップが、非対称テント写像に従ってビット間隔をそれ自体に写像するステップを含む、請求項５５に記載のプログラム記憶装置。
【請求項５７】
非対称テント写像がフローを呈する、請求項５６に記載のプログラム記憶装置。
【請求項５８】
前記復号ステップが、高速検出によってコンポジット情報／カオス信号を搬送波信号から復調して、送信データを実質的に回復するステップを更に含む、請求項５３に記載のプログラム記憶装置。
【請求項５９】
前記高速検出ステップが、位相検出および周波数検出の少なくとも一方を行うステップを含む、請求項５８に記載のプログラム記憶装置。
【請求項６０】
符号化データが、リード・ソロモン誤り訂正コードで表される、請求項５０に記載のプログラム記憶装置。
【請求項６１】
前記カオス２相位相変調済みデータを示す信号が、前記送信ステップと前記受信ステップの同期を助けるための非線形写像関数を用いたカオス生成に応答する、請求項５０に記載のプログラム記憶装置。
【請求項６２】
前記非線形写像関数が非対称テント写像を含む、請求項６１に記載のプログラム記憶装置。
【請求項６３】
前記カオス２相位相変調済みデータを示す信号が、中間周波数信号である、請求項５０に記載のプログラム記憶装置。
【請求項６４】
前記カオス２相位相変調済みデータを示す信号の伝搬前のバッファリング、および
前記カオス２相位相変調済みデータを示す信号の伝搬後のバッファリングの少なくとも一方を行うステップを更に含む、請求項５０に記載のプログラム記憶装置。
【請求項６５】
前記符号化ステップが、フローを呈する非線形写像関数に従って、２相位相変調によってカオス信号を導出するステップを更に含む、請求項５１に記載のプログラム記憶装置。
【請求項６６】
フローを呈する前記非線形写像関数が非対称テント写像である、請求項６５に記載のプログラム記憶装置。
【請求項６７】
前記復号ステップが、フローを呈する非線形写像関数に従って、位相比較および周波数比較の少なくとも一方によってカオス信号を導出するステップを更に含む、請求項５３に記載のプログラム記憶装置。
【請求項６８】
非線形写像関数が非対称テント写像を含む、請求項６７に記載のプログラム記憶装置。
【請求項６９】
前記復号ステップが、
前記位相比較および周波数比較の少なくとも一方を行うステップに従って、比較のための送信機写像の正確な複製を生成するステップと、
訂正用の誤り信号を生成するステップとを更に含む、請求項６７に記載のプログラム記憶装置。
【請求項７０】
前記受信ステップを初期パターンと同期させるステップと、
カオスの軌道を制御するためにクロック信号を周期的にリセットするステップとを更に含む、請求項５０に記載のプログラム記憶装置。
【発明の詳細な説明】
【技術分野】
【０００１】
本発明は、信号の送受信に関する。特に、２相位相変調（Ｂｉ−Ｐｈａｓｅ  Ｓｈｉｆｔ  Ｋｅｙｉｎｇ）によって変調して搬送波にのせたコンポジット（ｃｏｍｐｏｓｉｔｅ）情報／カオス（ｃｈａｏｓ）信号を用いた、信号の送受信に関する。
【背景技術】
【０００２】
コカレブ氏（Ｋｏｃａｒｅｖ）が提案した手法（１９９２年）や、ベルスキー氏（Ｂｅｌｓｋｙ）とドミトリーブ氏（Ｄｍｉｔｒｉｅｖ）による手法（１９９３年）、クオモ氏（Ｃｕｏｍｏ）による手法（１９９３年）、ペコラ氏（Ｐｅｃｏｒａ）とキャロル氏（Ｃａｒｒｏｌ）による手法（１９９３年）、ドミトリーブ氏（Ｄｍｉｔｒｉｅｖ）とスターコブ氏（Ｓｔａｒｋｏｖ）による手法（１９９７年）など、カオス（ｃｈａｏｓ）に基づいて通信システムを設計する手法は、既に幾つか存在している。これら従来の手法は、アナログ・スペクトラム拡散型のシステムに関心を寄せたものであり、従って広帯域にならざるを得なかった。更に、これら従来の手法では、シンボル制約（ｓｙｍｂｏｌ  ｃｏｎｓｔｒａｉｎｔ）を通じてカオス・システムの状態空間軌道を制限する試みは行っていなかった。これらのシステムでは、記号力学制御（Ｓｙｍｂｏｌ  Ｄｙｎａｍｉｃ  Ｃｏｎｔｒｏｌ）またはチャネル帯域幅制御（Ｃｈａｎｎｅｌ  Ｂａｎｄｗｉｄｔｈ  Ｃｏｎｔｒｏｌ）は行われなかった。
【０００３】
以下、本明細書の理解の助けとなる幾つかの定義を示す。
【０００４】
幾何学においては、「線形性（ｌｉｎｅａｒｉｔｙ）」とは、直線や平面、（平坦な）３次元空間などのユークリッド物体を指す。これらの物体は、どのように調べても同じように見える。例えば、球体などの非線形物体は、尺度が違えば異なった見え方をする。非線形物体は、接近して見ると平面のように見えるが、離れて見ると点のように見える。代数では、「線形性」は、ｆ（ｘ＋ｙ）＝ｆ（ｘ）＋ｆ（ｙ）およびｆ（ａｘ）＝ａ・ｆ（ｘ）という性質を持つ関数で定義される。「非線形性（ｎｏｎｌｉｎｅａｒｉｔｙ）」は、線形性の否定として定義される。これは、ｆ（ｘ＋ｙ）という結果が、入力ｘおよび／またはｙに比例しないこともあるということである。従って、非線形系は、重ね合わせの原理に従わない。
【０００５】
力学系は、任意の瞬間における力学的状態を記述する座標を備えた関連する抽象位相空間または状態空間と、全ての状態変数の現在の値が与えられているものとしてそれら状態変数のその直後の傾向を指定する力学的規則とを有する。力学系は、あらゆる状態に対して一意的な結果がある場合には、「決定性（ｄｅｔｅｒｍｉｎｉｓｔｉｃ）」であるとされ、ある確率分布から通常は選択される複数の結果がある場合には、「確率的（ｓｔｏｃｈａｓｔｉｃ）」または「ランダム（ｒａｎｄｏｍ）」であるとされる。力学系は、離散時間または連続時間に対して定義される。離散時間の場合は、ｚ１＝ｆ（ｚ０）という写像で定義される。これは、最初の状態ｚ０から生じる、次の離散時間値における状態ｚ１を与えるものである。連続時間の場合は、ｚ（ｔ）＝ψ（ｔ）（ｚ０）ｋという「フロー（ｆｌｏｗ）」で定義される。これは、時間０において状態がｚ０であったと仮定して時間ｔにおける状態を与えるものである。滑らかなフローは、時間について微分して、微分方程式ｄｚ／ｄｔ＝Ｆ（ｚ）を与えることができる。この場合、Ｆ（ｚ）はベクトル場と呼ばれ、位相空間内のあらゆる点における速度の方向を指すベクトルを与える。
【０００６】
位相空間または状態空間は、力学系の起こりうる状態の集合である。状態空間は、有限である（例えば、理想的なコイン・トス（投げ）では、表か裏の２状態しかない）ことも、可算的に無限である（例えば、状態変数が整数である場合）ことも、不可算的に無限である（例えば、状態変数が実数である場合）こともあり得る。状態空間または位相空間の概念では、位相空間内のある特定の状態はその系を完全に指定するという暗黙の了解がある。すぐ後の未来を完全に知るためには、その系について知っていさえすればよい。
【０００７】
従って、平面振り子の位相空間は、位置または角度と速度とからなる２次元である。ベクトル場の写像が明らかに時間に依存している非自律系（例えば、太陽束（太陽からの電磁波）に左右される植物の成長のモデルなど）では、位相空間の定義により、その後の動きを知るためには具体的な時間（例えば、火曜日の午後３時など）を指定しなければならないので、時間を位相空間座標として含めなければならない。従って、ｄｚ／ｄｔ＝Ｆ（ｚ、ｔ）は、新しい動的なｄｔ／ｄｔ＝１が加えられることで、（ｚ、ｔ）からなる位相空間上の力学系となる。初期値問題の解が辿る位相空間内の経路は、力学系の軌道または軌跡と呼ばれる。状態変数が連続体において実数値をとる場合には、連続時間系の軌道は曲線となり、離散時間系の軌道は点の連続となる。
【０００８】
ハミルトン系で用いられるような自由度の概念は、１つの正準共役対、つまり配置（ｃｏｎｆｉｇｕｒａｔｉｏｎ）ｑとその共役運動量（ｃｏｎｊｕｇａｔｅ  ｍｏｍｅｎｔｕｍ）ｐを意味する。ハミルトン系は、常にこのような変数対を複数有するので、位相空間は偶数次元である。散逸系（ｄｉｓｓｉｐａｔｉｖｅ  ｓｙｓｔｅｍ）では、「位相空間（ｐｈａｓｅ  ｓｐａｃｅ）」という用語はこれとは異なる意味でしばしば用いられ、位相空間の単一の座標次元を示す。
【０００９】
写像は、現在の状態ｚが与えられたときに、その系の次の状態ｆ（ｚ）（即ち、像）を与える位相空間上の関数ｆである。関数は各状態ごとに１つの値をもたなければならないが、幾つかの異なる状態が同じ像を生じることはある。位相空間のあらゆる状態を知ることができ、且つ各状態に対して正確に１つのプレ像（ｐｒｅ‐ｉｍａｇｅ）を有する（即ち、１対１の対応を有する）写像は可逆である。更に、写像とその逆写像が位相空間座標ｚに関して連続である場合には、これを同相写像（ｈｏｍｅｏｍｏｒｐｈｉｓｍ）と呼ぶ。ある写像を反復するとは、その前に行った写像の結果を繰り返し写像することを意味する。従って、次のような数列を作成することを意味する。
【００１０】
【数１】
2005514805.tif 000003
この数列は、初期状態をｚ０とする力学系の軌道（ｏｒｂｉｔ）または軌跡（ｔｒａｊｅｃｔｏｒｙ）である。
【００１１】
あらゆる微分方程式は、写像（ｍａｐ）を生じる。時間１写像は、フロー（ｆｌｏｗ）を１単位時間だけ進める。微分方程式が時間Ｔで周期的な項を１つまたは複数含む場合には、ある系の時間Ｔ写像は、ポワンカレ・セクション（Ｐｏｉｎｃａｒｅ  ｓｅｃｔｉｏｎ）を表す。この写像は、周期Ｔに同調させたストロボスコープを用いて位相空間内の位置を効果的に見ているので、ストロボ写像とも呼ばれる。時間を位相空間座標とする必要がなくなるので、これは有用である。
【００１２】
自律系（ａｕｔｏｎｏｍｏｕｓ  ｓｙｓｔｅｍ）（即ち、方程式に時間依存項がない系）では、位相空間座標を１つ減らすようにポワンカレ・セクションを規定することができることもある。ここで、ポワンカレ・セクションは、一定の時間間隔ではなく、位相空間内の固定表面と軌道が交差する連続的な時間によって規定される。ストロボ・サンプリングで生じる写像またはあるフローのポワンカレ・セクションは、そのフローが位相空間内の任意の点を通る一意的な解を有するので、必ずしも可逆である必要はない。従って、その解は、時間的に前後に一意的である。
【００１３】
アトラクタ（ａｔｔｒａｃｔｏｒ）は、単に系が整定していく状態であり、散逸が必要であることを暗に示す。従って、散逸力学系は、長い時間の間に、あるアトラクタに整定していくことがある。アトラクタは、あらゆる点がその付近に留まり、時間が無限に進むにつれてアトラクタに接近していくような近傍を有する位相空間として定義することもできる。最終的にアトラクタに接近する点の近傍が「吸引域（ｂａｓｉｎ  ｏｆ  ａｔｔｒａｃｔｉｏｎ）」である。
【００１４】
カオス（ｃｈａｏｓ）は、決定性力学系が初期条件の影響を受け易いことから決定性力学系に生じる、有効な予測不能長期挙動として定義される。但し、その初期条件が分かっていれば決定性力学系は完全に予測可能であり、実際に短期間では常に予測可能であることを強調しておく。長期間の予測不能性の重要なポイントは、初期条件に対する感度と呼ばれる性質である。力学系がカオスになるためには、一般に、その力学系がかなり不安定な初期条件を多数有していなければならない。どれほど精密に初期条件を測定しても、その後の動きの予測は、最終的には完全な誤りとなる。
【００１５】
リヤプノフ（Ｌｙａｐｕｎｏｖ）指数は、付近の軌道が収束または発散する速度を示すものである。リヤプノフ指数は、系の状態空間の次元と同じ数だけ存在するが、通常は最大のものが最も重要である。簡単に言えば、最大リヤプノフ指数は、付近の２つの軌道の間の距離を表す数式の時定数λである。λが負であれば、それらの軌道は時間と共に収束し、力学系は初期条件の影響を受けない。λが正であれば、付近の軌道の間の距離は時間と共に指数関数的に大きくなり、系は初期条件の影響を受け易くなる。
【００１６】
リヤプノフ指数は、２つの方法で計算することができる。１つの方法では、近接した２つの点を選択し、これらの点を時間と共に展開して、それら２点間の距離の拡大速度を測定するものである。この方法には、拡大速度が実際には局所的な結果ではないという欠点がある。拡大を測定するより良い方法は、所定の軌道に対する接線ベクトルの拡大速度を測定するものである。
【００１７】
【数２】
2005514805.tif 000004
上記のように定義して、λ＞０であれば発散の平均速度が与えられ、λ＜０であれば、これは収束を示す。
【００１８】
カオスの場合の最小位相空間寸法は、考察している系のタイプによって決まる。まず、微分方程式のフローまたは系について考える。この場合、ポワンカレ・ベンディクソンの定理（Ｐｏｉｎｃａｒｅ−Ｂｅｎｄｉｘｓｏｎ  ｔｈｅｏｒｅｍ）により、１次元または２次元の位相空間にはカオスが存在しないことが示される。カオスは、３次元フローにのみ存在することができる。フローが非自律である（即ち、時間に依存する）場合には、時間が位相空間の座標となる。従って、２つの物理変数に加えて時間変数を備えた系は３次元であり、カオスが存在することが可能となる。
【００１９】
写像では、写像が可逆ではない場合にのみ、１次元のカオスを有することができる。有名な例は次のようなロジスティック写像（ｌｏｇｉｓｔｉｃ  ｍａｐ）である。
【００２０】
【数３】
2005514805.tif 000005
この方程式は、４およびその他の多くの値であるｒに対して証明可能にカオス的である。１／２未満となるあらゆる点ｆ（ｘ）で、この関数は２つのプレ像を有し、従って可逆ではないことに留意されたい。この方法は系を実施する際に使用する回路の様々なトポロジ（ｔｏｐｏｌｏｇｙ）を特徴付けるために使用することができるので、この概念は重要である。
【００２１】
Ｍ−ａｒｙ位相変調（ＰＳＫ：Ｐｈａｓｅ  Ｓｈｉｆｔ  Ｋｅｙｉｎｇ）やＭ−ａｒｙ直交振幅変調（ＱＡＭ：Ｑｕａｄｒａｔｕｒｅ  Ａｍｐｌｉｔｕｄｅ  Ｍｏｄｕｌａｔｉｏｎ）など、より高次の変調システムを旨く展開するためには、高レベルのチャネル線形性が必要となる。Ｍ−ａｒｙ位相変調（ＰＳＫ）システムおよびＭ−ａｒｙ直交振幅変調（ＱＡＭ）システムは、米国の連邦通信委員会（ＦＣＣ）のスペクトル規格に準拠したアーキテクチャにするために必要なシステムが複雑であることから、展開するのに費用がかかる。Ｍ−ａｒｙＱＡＭまたはＭ−ａｒｙＰＳＫのアーキテクチャを備えたシステムは、通常の受信機が周波数変調（ＦＭ）復調器を使用してベースバンド情報を回復しているので、高速副搬送波信号を複合するためにセット・トップ・ボックス（ＳＴＢ）を有する。更に、Ｍ−ａｒｙシステムでは、シンボルごとに複数のビットを利用する変調方式であるために帯域幅圧縮のレベルが高くなることに伴うパワー損も生じる。Ｍ−ａｒｙシステムは、実際に実施するには損失が大きすぎ、上限を超えてしまうことになる。
【発明の開示】
【００２２】
（発明の概要）
狭帯域カオス２相位相変調によって信号を送受信するシステムおよび方法により、従来技術による上記その他の欠点および不都合を解決する。
【００２３】
このシステムは、入力データを受信する順方向誤り訂正エンコーダと、順方向誤り訂正エンコーダに結合されるデータ・パケッタイザ（ｐａｃｋｅｔｉｚｅｒ：パケット化器）と、データ・パケッタイザに結合される圧縮エンコーダと、圧縮エンコーダ（符号化器）に結合される無線周波リンクと、無線周波リンクに結合される圧縮デコーダ（復号化器）と、圧縮デコーダに結合されるデータ・デパケッタイザ（ｄｅｐａｃｋｅｔｉｚｅｒ）と、カオスの軌道を制御することによって入力データを回復する、データ・デパケッタイザに結合される順方向（前方）誤り訂正デコーダとを含んでいる。
【００２４】
関連する方法は、カオス２相位相変調済みデータを示す信号を送信するステップと、送信信号を狭い周波数帯域内で伝搬するステップと、カオスの軌道を制御することにより、示されるデータを実質的に劣化させることなく伝搬した信号を受信するステップとを含んでいる。
【００２５】
本発明の上記その他の態様、特徴および利点は、以下の例示的な実施形態の説明を添付の図面と関連して読めば明らかになるであろう。
【００２６】
本発明は、例示的な図面に従って狭帯域カオス２相位相変調を開示するものである。
【発明を実施するための最良の形態】
【００２７】
本発明は、２相位相変調によって変調して搬送波信号にのせたコンポジット情報／カオス信号を用いた信号の送受信に関する。本発明は、送信機と受信機の同期を助けるためのテント写像（ｔｅｎｔ  ｍａｐ）を用いてカオス生成を対象とするものである。
【００２８】
図１は、本発明の例示的な実施形態における狭帯域カオス２相位相変調を行うシステム１１０を示すブロック図である。システム１１０は、送信機部分１１２、送信機１１２と通信する無線周波（ＲＦ）リンク１１４、およびＲＦリンク１１４と通信する受信機部分１１６を含んでいる。送信機部分１１２は、入力データを受信するための、リード・ソロモン（ＲＳ）誤り訂正コードを使用する順方向（前方）誤り訂正（ＦＥＣ：Ｆｏｒｗａｒｄ  Ｅｒｒｏｒ  Ｃｏｒｒｅｃｔｉｏｎ）エンコーダ１１８と、ＦＥＣエンコーダ１１８とに結合されてＦＥＣコード化データを受信するデータ・パケッタイザ１２０と、データ・パケッタイザ１２０に結合されて変調用符号化データをＲＦリンク１１４に供給する圧縮エンコーダ１２２とを含んでいる。受信機部分１１６は、ＲＦリンクから符号化データを受信する圧縮デコーダ１２４と、圧縮デコーダ１２４に結合されるデータ・デパケッタイザ１２６と、ＦＥＣコード化データを受信して出力データを供給するための、データ・デパケッタイザ１２６に結合され、ＲＳ誤り訂正コードを使用するＦＥＣデコーダ１２８とを含んでいる。
【００２９】
次に図２において、エンコーダ３１０は、図１の圧縮エンコーダ１２２の例示的な実施形態を表すものである。エンコーダ３１０は、１８．４３２ＭＨｚの局所クロック信号を受信して４．０９６ＭＨｚの信号を供給する、４．５で分周する分周器３１２を含んでいる。この局所クロック信号は、分周器３１４でも受信される。エッジ（ｅｄｇｅ：端）検出器３１６は、入力データを受信して、分周器３１４並びに第１のシーケンス生成器３１８および第２のシーケンス生成器３２０にエッジ信号を供給する。分周器３１４は、ＣＬＫ９信号を第１のシーケンス生成器３１８および第２のシーケンス生成器３２０に供給する。ＭＵＸ（マルチプレクサ）３２２は、シーケンス生成器３１８および３２０からＳＥＱ１信号およびＳＥＱ２信号をそれぞれ受信し、更にその出力選択端子で入力データ信号も受信する。ＭＵＸ３２２は、符号化データ信号出力を供給する。あるいは、このエンコーダは、入力データのレベルに応じて８個、９個、または１０個のパルスを供給する。即ち、元のデータにおいて低状態から高状態への遷移があれば８個のクロック・パルス、変化または遷移がなければ９個のパルス、元のデータ・ストリームにおいて高状態から低状態への遷移があれば１０個のパルスを生成する。
【００３０】
次に図３において、デコーダ５１０は、図１の圧縮デコーダ１２４の例示的な実施形態を表すものである。デコーダ５１０は、符号化データを受信し、且つ第１の７ビット・バイナリ（２進）カウンタ５１６および第２の７ビット・バイナリ（２進）カウンタ５２０にＥＤＧＥ信号を生成するエッジ検出器５１２を含んでいる。クロック分周器５１４は、１８．４３２ＭＨｚのクロック信号を受信し、ＣＬＫ×７２信号を第１のカウンタ５１６および第２のカウンタ５２０に供給する。８０カウント検出器５１８は第１のカウンタ５１６に結合され、第２のカウンタ５２０にリセット信号を送る。３２／４０カウント検出器５２２は、第２のカウンタ５２０に結合され、負荷値関数（ｌｏａｄ  ｖａｌｕｅ  ｆｕｎｃｔｉｏｎ）５２４および同期関数５２６のそれぞれに対して供給を行い、複合データをラッチ５２８に供給する。負荷値関数５２４は、第２のカウンタ５２０に供給を行う。同期関数５２６は、クロック分周器５１４からＣＬＫ×１信号を受信し、×１（１倍）のビットレートでＳＹＮＣクロックをラッチ５２８に供給する。ラッチは、出力データを生成する。
【００３１】
動作に於いて、システムの実施形態は、非線形システムのアーキテクチャによって決まる様々なフローを有する。無線周波（ＲＦ）変換は、基本的に全ての場合において同じである。主な違いは、写像、フローおよび同期回路の実施態様に見られる。最初に、写像およびフローの生成について考える。
【００３２】
図４および図５を参照すると、第１の例示的な非対称テント写像（ｓｋｅｗｅｄ  ｔｅｎｔ  ｍａｐ）関数ｆ（ｘ）が、図４の参照番号７１０で概略的に示してあり、第２の例示的な非対称テント写像関数８１０が、図５の参照番号８１０で概略的に示してある。非対称テント写像を利用した情報の伝送は、０を中心とした非対称テント写像７１０または８１０を反復して考える。この力学系の唯一の状態変数は直接伝送されるので、これは非線形力学系に対する直接的な手法である。周期の分周が非対称的であるため、この非対称テント写像は常に不可逆である。このことは、時間次元も要因としてこの系で考慮する場合には、フローを呈する１Ｄの非対称テント写像が生じることを意味する。符号化アルゴリズムは以下のように定義される。
【００３３】
符号化プロセスを行うために、×９（９倍）クロックを使用してビット幅を９個の均等な小間隔に分割する。着信ビット・ストリームが「０」から「１」への遷移を有する場合には、エンコーダは、×９クロックの均等間隔の１０個分の幅を出力する。「１」から「０」への遷移がある場合には、×９クロック８サイクル分に相当する幅を符号化に使用する。データに変化がない場合には、クロック・パルス９個分の幅に相当する幅を符号化する。テント写像がフローを呈するためには、区画内に非対称性がなければならない。従って、「９」の幅が出力されたときには、フローはない。
【００３４】
受信機では、送信機の写像の正確な複製を比較のために生成し、訂正用の誤り信号を生成する。初期パターンによって復号アルゴリズムを同期させ、その後、マスタ・クロックの周期リセットを行うことができる。このようにして、カオスの軌道を制御する。この同期方法は、回復した軌跡に基づいて行う。
【００３５】
非対称テント写像ｆ：［０、１］→［０、１］は、図４の関数７１０で表すように、次のように与えられる。
【００３６】
【数４】
2005514805.tif 000006
これは、単位間隔をそれ自身に変換する不可逆変換である。この変換は、パラメータ「ａ」によって決まり、パラメータ「ａ」は、０．５＜ａ＜１の範囲によって満たすことができる。この変換は連続的であり、且つ区分的に線形であり、線形領域は［０、ａ］および［ａ、１］である。
【００３７】
本発明の手法独自の特徴は、符号化プロセスを操作して、同期およびデータ送信両方の助けとなるように、非対称テント写像を生成することである。これを行うために、同期を達成する前に何サイクルも写像を反復する。この反復プロセスの助けとなるように、非対称テント写像を、最初にそれより高い中間周波数に変換し、その後、これを使用して、その写像外のより低い周波数の信号を反復する。これは、この概念が、より低いベースバンド写像周波数には直接作用しないからである。
【００３８】
次に、ｋ＝１、２、．．．、Ｎについてのｘ（ｋ）を送信信号とし、ｋ＝１、２、．．．、Ｎについてのｙ（ｋ）を受信信号として、ｘ（０）およびｙ（０）から始まる両関数について考える。両軌跡が時間ｋまで同じ領域内にある場合には、以下のようになる。
【００３９】
【数５】
2005514805.tif 000007
ここで、ｆ′（ｘ）は点ｘにおけるｆの導関数を表す。従って、以下のようになる。
【００４０】
【数６】
2005514805.tif 000008
上記方程式は、以下のように書き直すこともできる。
【００４１】
【数７】
2005514805.tif 000009
ｊの合計限界は０からｋ−１である。これを説明すると、λは、λ＞０である場合には２つの軌跡の発散の平均速度を与え、λ＜０である場合には２つの軌跡の収束の平均速度を与える。シミュレーションにより、軌跡が収束するためには、約１０から１５のサイクルが通常必要になることが分かっている。これは、クリーンでバーストのない同期を得るためには、非対称テント写像を転写している中間周波数が、写像周波数の５０倍から１００倍であることが好ましいことを意味している。安定のために同期ループが必要とする限界サイクルの数は、中間周波数の選択に影響を与える。
【００４２】
λの上限および下限は、ｆ（ｘ）の導関数であるｆ′（ｘ）をとることにより導出される。非対称テント写像を見ると、左側の分枝の傾きは１／ａ＞１であり、右側の分枝の傾きは−１／（１−ａ）＜−１である。これにより、ｆ（ｘ）の導関数の限界は１＜１／ａ≦１／（１−ａ）と定義される。
【００４３】
λの下限および上限は、０＜−Ｉｎ（ａ）≦λ≦−Ｉｎ（１−ａ）と導出される。この場合には、ａ＝０．５５であり、λの境界は０＜０．５９７≦λ≦０．７９８である。λの値が＞０であるので、これは発散系を示す。ｋを超えてもｘ（ｋ）およびｙ（ｋ）両方の軌跡を辿っていくと、最終的に、それらは異なる線形領域に入ることになる。λの境界が存在し、それが特定の軌跡とはある程度まで無関係であることにより、写像ｆの作用を受けても不変の一意的な確率密度が生じることになる。この非対称テント写像については、［０、１］における確率密度を表す方程式は以下のようになる。
【００４４】
【数８】
2005514805.tif 000010
ハスラー氏（Ｈａｓｌｅｒ）およびマイストレンコ氏（Ｍａｉｓｔｒｅｎｋｏ）によれば、非対称テント写像は一定の確率密度を有することになり、リヤプノフ指数λは次のように定義することができる。
【００４５】
【数９】
2005514805.tif 000011
非対称テント写像および一定の確率密度については、上記数式は以下のようになる。
【００４６】
【数１０】
2005514805.tif 000012
【００４７】
従って、ａ＝０．５５であれば、λ＝０．６８８となる。確実に同期させるためには、結合パラメータδおよびεを用いた結合を選択する。送信機の写像が受信機の写像と結合されると、２次元写像は以下のように定義される。
【００４８】
【数１１】
2005514805.tif 000013
結合パラメータδおよびεは、任意の値をとることができる。結局、この系の定性的挙動は基本的にδ＋εによって決まる。δ＝０と設定した場合には、同時にε＝０にならない限り、ｘ（ｋ）は影響を受けない。ｘ（ｋ）はｙ（ｋ）に影響を及ぼすので、これはマスタ・スレーブ関係と呼ばれる。以下の（１１）の関係が成り立つ場合には、この系は同期していると定義される。
【００４９】
【数１２】
2005514805.tif 000014
ｘ＝ｙとしたときのこの状態を表すヤコビ行列は、次のように表すことができる。
【００５０】
【数１３】
2005514805.tif 000015
ここで、ａ≦ｘ≦１であればｃ＝−１／（１−ａ）、０≦ｘ≦ａであればｃ＝１／ａである。固有ベクトルは、以下の通りである。
【００５１】
【数１４】
2005514805.tif 000016
【００５２】
【数１５】
2005514805.tif 000017
【００５３】
【数１６】
2005514805.tif 000018
【００５４】
横リヤプノフ指数（ｔｒａｎｓｖｅｒｓｅ  Ｌｙａｐｕｎｏｖ  ｅｘｐｏｎｅｎｔ）は、λＴ＝−ａＩｎ（ａ）−（１−ａ）Ｉｎ（１−ａ）＋Ｉｎ（１−ｄ）である。ここで、ｄ＝δ＋εである。上記の方法で結合した全く同じ非対称テント写像（例えば、送信機側と受信機側）の性質として、結合パラメータｄ＝δ＋εがその間隔［１−Δ］、［１＋Δ］に属していれば必ず、それらの写像が常に横リヤプノフ指数を有するということがある。ここで、Δは以下で与えられる。
【００５５】
【数１７】
2005514805.tif 000019
この例示的な系では、ａ＝０．５５である。従って、Δは値０．５０２５を有し、δ＝０であれば、Ｉｎ（１−ｄ）＝０．４９７４であるときにのみ同期が起こる。
【００５６】
次に、カオス信号の情報搬送能力について考える。駆動応答系における情報の生成と消滅は、ベルヌーイ写像または非対称テント写像の何れかで表すことができ、その場合、単位間隔のそれ自体への動的写像が観察される。従って、同期の境界はλが０未満になるところになる。切断フィードバック・ループを有する無雑音チャネルでは、ｄ＝１、λｔ＝−Ｉｎ｜１−ｄ｜、およびｘ（ｋ＋１）＝ｆ（ｘ（ｋ））である。ここでｆは非線形関数である。従って、リヤプノフ指数は以下で与えられる。
【００５７】
【数１８】
2005514805.tif 000020
【００５８】
受信機にフィードバックおよび外部ノイズがない場合には、これは容量Ｃ＝無限大の通信チャネルに相当する。カオス系がどれほど速い速度で情報を生成しても同期が可能である。このことは、ノイズのない状態で駆動応答系を同期させるためには、λｔ＝λｌｏｇ２（ｅ）として情報搬送容量がＣ＞λｔであるチャネルを備えていれば十分であることを示している。ここで、リヤプノフ指数は、底（ｅ）単位で表される情報生成速度として表され、λは反復ごとのビット数として表される。この場合、１０．７ＭＨｚ／１２８ｋＨｚから反復回数＝８４であり、反復ごとのビット数は以下のようになる。
【００５９】
【数１９】
2005514805.tif 000021
【００６０】
従って、生成される情報の平均値は、１秒当たり、８４×０．９９２６＝８３．３７８４ビットとなる。この結果をシャノン・ハートレーのチャネル容量の定理に当てはめると、Ｃ＝Ｗｌｏｇ２（Ｐ＋Ｎ）／Ｎとなる。ここで、Ｃはチャネル容量、Ｗはチャネル帯域幅、（Ｐ＋Ｎ）／Ｎは信号対雑音比である。標準的な線形通信システムと比較すると、本発明の方法では、チャネル帯域幅に変化がないものと仮定すると、平均情報処理能力を８３倍に高めることが可能である。一方、チャネル帯域幅を８３分の１に縮小した場合には、本発明の信号対雑音比は基本的に線形通信システムと同程度のままである。帯域幅を狭くするために信号対雑音比が損なわれることがないことは、この狭帯域カオス変調システムの重要な利点である。
【００６１】
これに対して、固定チャネル容量Ｃを有する従来の通信システムを用いると、信号が占める帯域幅を縮小した場合に、該方程式を成り立たせるためにより大きな（Ｐ＋Ｎ）／Ｎが必要となる。例えば、１ビット／秒／ヘルツの帯域幅効率を有する変調方式を使用して８３０Ｋｂｐｓのデータを送信する必要がある場合には、少なくとも８３０ｋＨｚの帯域幅が必要となる。本発明の実施形態では、帯域幅効率が向上しているので、１０ｋＨｚの帯域幅で８３０ｋｂｐｓを送信することができる。従来の線形システムでは、必要とされる（Ｐ＋Ｎ）Ｎが物理的に実現不可能であるため、１０ｋＨｚの帯域幅で８３０ｋｂｐｓを送信することはできない。
【００６２】
符号化アルゴリズムの第１の部分９１０および第２の部分９１２を、図６の（ａ）および図６の（ｂ）にそれぞれ示す。第１の部分９１０では、Ｄ／Ａ変換器９１６と連絡した標準的なシフト・レジスタ９１４を用いてベルヌーイ・シフト・プロセスを実施し、ｘｋ＋１＝２ｘｋｍｏｄ［１］に相当する信号９１８を生成する。第２の部分９１２では、バイナリ・グレイ変換９１９の結果を、ベルヌーイ・シフト・プロセスによって与えられる参照番号９２０で表す定義方程式ｘｋ＋１＝２ｘｋｍｏｄ［１］から、参照番号９２２で表すグレイ・レベル（ｇｒａｙ−ｌｅｖｅｌ）方程式ｘｋ＋１＝１−２｜ｘｋ−０．５｜への変換として示す。
【００６３】
図６の（ｂ）のテント写像生成器９１２の簡略ブロック図は、ベルヌーイ・シフト・プロセスｘｋ＋１＝２ｘｋｍｏｄ［１］に近似したランダム入力で、シフト・レジスタ９１４の出力のシーケンスを供給する。８ビット・シフト・レジスタの場合にｘｋ＝０．ｂ７ｂ６．．．ｂ１ｂ０である場合には、出力はｘｋ＋１＝０．ｂ７ｂ６．．．ｂ１ｂｉｎとなる。ここで、ｂｉｎは新たな情報ビットである。この演算は、２の乗算およびｍｏｄ［１］演算に相当する。後者は、各ステップで最上位ビット（ＭＳＢ）を除去することに相当する。バイナリ・グレイ変換器９１９は、ベルヌーイ・シフト写像の力学を、以下で記述されるテント写像９２２のそれに変換する。
【００６４】
【数２０】
2005514805.tif 000022
【００６５】
「０」から「１」への遷移がある場合には、このテント写像は原点から４つ目の分割位置で区切られ、「１」から「０」への遷移がある場合には、原点から５つ目の分割位置で区切られる。全ビット持続時間は９分割されている。
【００６６】
この写像を生成するために、並列出力を有するカウンタに２×９データ・クロックを供給して、このカウンタが２カウント・サイクルを完全に行う時間が与えられるようにする。カウンタ／シフト・レジスタからの並列出力はバイナリ・グレイ・コード変換器を通過してディジタル・アナログ変換器（ＤＡＣ）に到達し、これがテント写像を供給する。カウンタは、上記で概略的に説明したアルゴリズムに従ってリセットされ、ビット持続時間は非対称に分割されることになる。従って、記号力学に関する制約により、摂動は非常に小さく、フローおよび検出のために最小の帯域幅しか必要としない。
【００６７】
このシステム・アーキテクチャでは、本発明の実施形態は、符号化方式、信号処理、およびチャネルを介して情報を送信するために必要な帯域幅を制限するための送信機の諸要素の変調の能力を含んでいる。復調は、位相ロックループ（ＰＬＬ）や周波数変調（ＦＭ）弁別器、高利得位相検出器など、様々な方法で行われる。Ｍ−ａｒｙ技術を利用して普及している変調方式のほとんどは、全シンボル時間にわたって変調器を「オン」または「オフ」に保つ。例えば、フェへール氏（Ｆｅｈｅｒ）の変調方式や最小位相変調（ＭＳＫ：Ｍｉｎｉｍｕｍ  Ｓｈｉｆｔ  Ｋｅｙｉｎｇ）、レイズド・コサイン（２乗余弦）オフセット直交位相変調（ＯＱＰＳＫ：Ｏｆｆｓｅｔ  Ｑｕａｄｒａｔｕｒｅ  Ｐｈａｓｅ  Ｓｈｉｆｔ  Ｋｅｙｉｎｇ）など、ある種の帯域幅効率の良い方式では、変調成分の帯域幅を制限しようとする。使用する波形は周期的であり、明確な境界を有するので、補間技術を適用して受信機に戻った信号を再構成することができる。
【００６８】
チャネルを介して情報を送信するために必要な最小帯域幅は、ビット当たりのエネルギーおよびノイズ帯域幅の関数である。本発明の上記の例示的な実施形態では、ノイズ帯域幅を縮小し、単側波帯（ＳＳＢ：Ｓｉｎｇｌｅ  Ｓｉｄｅ−Ｂａｎｄ）変調方式を利用し、データの周期性をビットレートの約半分に制限し、符号化ビット・ストリームの遷移境界について位相変調を行い、位相変調器の２つの出力を結合して単一軸変調系を与えることにより、チャネル容量を最大限に高めるための制限条件を統合する。
【００６９】
更に、符号化波形は、変調器に適用する前に微分する。微分した波形の鋭い縁部（エッジ）により、変調器が短時間だけオンまたはオフになる。正に向かうパルスはＬＯ信号に０±ψ度の位相シフトを与え、負に向かうパルスはＬＯに１８０±ψ度の位相シフトを与える。ψはπ／ｍで計算され、この特定の場合ではｍ＝９である。通常は、変調信号の位相変化点における摂動は、２から３回の搬送波サイクルの間に定常状態に達する。この２相変調器からの不均一に位相変調を施された信号は、変換器ハイブリッド（ｔｒａｎｓｆｏｒｍｅｒ  ｈｙｂｒｉｄ）を用いて合成される。このコンバイナ（Ｃｏｍｂｉｎｅｒ：合成器）の出力は、抑圧搬送波を備えた両側波帯信号である。搬送波および上側波帯は、１０．７ＭＨｚを中心とする２極結晶フィルタでは阻止される。
【００７０】
この符号化プロセスでは、位相変化の周期性は０．４４から０．５５のビットレートの範囲内で起こることが保証される。従って、１０．７６４ＭＨｚの第１の局部発振器を微分したエンコーダのパルス列で変調したことによって生じた側波帯は、１０．７ＭＨｚを中心とする７．４ｋＨｚの帯域幅に収まる。この信号を更に、伝送に適した帯域に上方変換する。上記の方法は、様々な周波数で使用することができる。第１の局部発振器（ＬＯ：Ｌｏｃａｌ  Ｏｓｃｉｌｌａｔｏｒ）の選択は、以下の基準に基づいて行う。
ａ）第１の局部発振器（ＬＯ）は、変調信号のビット境界間に少なくとも１０の搬送波サイクルを有するように選択する。
ｂ）低コスト（例えば、業界標準）の結晶フィルタが利用できること。
ｃ）第１のＬＯ＝結晶周波数±１／２ビットレートとなるように選択する。例えば、１２８ｋｂｐｓの信号では、１０．７±６４ｋＨｚとなるように第１の局部発振器（ＬＯ）を選択する。
【００７１】
本発明の例示的な実施形態は、入って来る非ゼロ復帰（ＮＲＺ：Ｎｏｎ−Ｒｅｔｕｒｎ  ｔｏ  Ｚｅｒｏ）ビット・ストリームを可変ビット幅ストリームに変換することにより、元の非ゼロ復帰（ＮＲＺ）信号のスペクトル特性を変化させる符号化／復号システムを含んでいる。例示的な符号化規則のセットは、以下の通りである。
１）０から１への変化がある場合には、ビットの幅を拡大して、１０個のクロック・サイクルが含まれるようにする。
２）変化がない場合には、ビット幅を維持して、９個のクロック・サイクルが含まれるようにする。
３）１から０への遷移がある場合には、元の非ゼロ復帰（ＮＲＺ）ビット幅を減少させて、８個のクロック・サイクルが含まれるようにする。
【００７２】
パルス幅を増大および／または減少させて１０クロック・サイクルまたは８クロック・サイクルを含めることを例示のために示したが、より高い符号化クロック・サイクルも可能である。単側波帯（ＳＳＢ）システムへのマルチパスの影響およびゼロ交差検出精度の点でのシステム性能は、代替実施形態におけるはるかに高い符号化および／または復号クロックの使用を制限する可能性のある要素となることに留意されたい。
【００７３】
符号化波形を接近して見た場合に、元の非ゼロ復帰（ＮＲＺ）波形に１から０への遷移があるか０から１への遷移があるかによって、符号化波形が、ビット境界に関連した位相変化点より後または前に位相変化点を有するという点で、このコード化技術は独特である。元のＮＲＺ波形のレベルに変化がないときには、繰返しビットの場合と同様に、位相遷移はビット境界で起こる。
【００７４】
遷移はビット当たり１回しか起こらない。受信機側では、受信機内での信号の再構成では、隣接するパルス間の周期を利用して非ゼロ復帰（ＮＲＺ）情報を回復する。エンコーダの出力は、９０°の位相シフトを変調用信号に与える微分器に通される。これにより、符号化波形に「低（ロ−）状態」から「高（ハイ）状態」への遷移があれば微分信号は正の向きとなり、符号化波形に「高（ハイ）状態」から「低（ロ−）状態」への遷移があれば微分信号は不の向きとなる。この微分符号化出力は、２相変調器で変調用信号として使用される。低コスト設計のシステムとなるように、単側波帯（ＳＳＢ）フィルタ周波数±（ビットレート）＊１／２である公称周波数の搬送波を選択する。一般に利用できる実施形態では、６ＭＨｚ、１０．７ＭＨｚ、２１．４ＭＨｚ、７０ＭＨｚ、１４０ＭＨｚなどの単側波帯（ＳＳＢ）フィルタを使用することができる。
【００７５】
微分器は、幅符号化波形のレベル遷移点から始まって全ビット持続時間の約９分の１の間、変調器をオンにするように設計されている。この独特の変調方式により、変調プロセスは、微分パルスが変調器を「オン」にするだけの有意な振幅を有する期間のみ起こることになる。「帯域外（ｏｕｔ  ｏｆ  ｂａｎｄ）」フーリエ成分並びに搬送波および一方の側波帯を濾波するために、線形位相帯域フィルタが必要である。この帯域フィルタの出力は、それぞれ位相変調または周波数変調の形で情報が組み込まれた、単側波帯パルス変調（ＰＭ）信号または単側波帯周波数変調（ＦＭ）信号である。この信号は９００ＭＨｚの周波数帯域に周波数変換される。
【００７６】
例示的な実施形態では、送信機の周波数は、９０２．７７ＭＨｚになるように選択される。ディジタル副搬送波は１０．７６４ＭＨｚである。２相変調器として使用するギルバート・セル・ミクサーは、公称レート６４ｋＨｚでエンコーダからの信号で変調される。その結果生じる側波帯は、１０．７ＭＨｚおよび１０．８２８ＭＨｚである。１０．７ＭＨｚの狭帯域フィルタは、１０．７６ＭＨｚのディジタル副搬送波および１０．８２８ＭＨｚの上側波帯を除去する。
【００７７】
第２の局部発振器（ＬＯ）は、８９２．０７ＭＨｚになるように選択される。全ディジタル信号送信スペクトルは、２０ｋＨｚの帯域幅に収まる。受信機は、８９２．０７ＭＨｚのダウン・コンバータを含んでいる。ダウン・コンバータからの出力は１０．７ＭＨｚである。この信号は、十分に帯域フィルタリングされ、リミッタによって増幅された後で処理される。１０．７ＭＨｚフィルタは、最小群遅延特性を処理しなければならない。使用する狭帯域フィルタは、アマチュア無線で使用され、ズベレブ氏（Ｚｖｅｒｅｖ）の「フィルタ設計ハンドブック（Ｆｉｌｔｅｒ  Ｄｅｓｉｇｎ  Ｈａｎｄｂｏｏｋ）」に報告されている半格子フィルタ（ｓｅｍｉ−ｌａｔｔｉｃｅ  ｆｉｌｔｅｒ）に非常によく似ている。
【００７８】
位相変化検出器として、送信機のものと同様の可変ビット幅信号を検出および再生するために使用することができる周波数変調（ＦＭ）弁別器または位相ロックループ（ＰＬＬ）を使用する。信号の時空的特性を利用して明白な検出を行うので、検出器の利得が高くなれば、システムの最大信号検出能力も高くなる。正しく検出するためには、ＰＬＬは適当な信号対雑音比（ＳＮＲ：Ｓｉｇｎａｌ−ｔｏ−Ｎｏｉｓｅ  Ｒａｔｉｏ）を有する必要がある。更に、狭い追従範囲で速い追従能力を有することは困難である。ＦＭ弁別器には、検出器利得がきわめて低いという欠点がある。受信機では適当な振幅および位相の元の信号の自己相似複製を検出に使用するので、上記システムはともに、低い信号対雑音比（ＳＮＲ）では動作効率が悪い。
【００７９】
これらの問題に対処するために、新しい高速検出器を供給する。制限部からの信号は、入力レベルの変化に対して出力レベルを一定に保つのに役立つ注入増幅器（ｉｎｊｅｃｔｉｏｎ  ａｍｐｌｉｆｉｅｒ）に送られる。注入増幅器は、その追従範囲内の群遅延を最小限に抑えた高速追従フィルタとして働く。更に、注入増幅器からの出力は、２つに分岐される。一方の分岐は高Ｑタンク回路を有する１０．７ＭＨｚの発振器に通される。この動作では、実質的に、リミッタから出る信号から全ての変調を除去し、基準信号を形成する。この分岐は、変調除去分岐と呼ぶこともある。
【００８０】
もう一方の分岐は、Ｄ型フリップ・フロップまたは排他的オア（ＥＸ−ＯＲ）ゲートに送られる。排他的オア（ＥＸ−ＯＲ）ゲートまたはＤ型フリップ・フロップの出力は、位相変化点を示すことになる。周波数変調（ＦＭ）弁別器、位相ロックループ（ＰＬＬ）または新しい位相変化検出器のゼロ交差点は、様々な瞬間に発生する一連のパルスであるから、この検出器の出力は、送信された符号化波形と同様に、周期が変化することになる。信号の大部分は送信機および受信機の両方においてフィルタで除去されているので、検出器から出るスパイクのエネルギーは非常に低く、各応答間にその他のスパイクが存在することになる。これらのスパイクを軽減するために、ワン・ショット（ｏｎｅ  ｓｈｏｔ）回路を使用する。
【００８１】
送信機を変調するために最初に使用したパルス幅は３つであったが、検出器の出力のパルス幅は２つしかない。これは、パルス検出器が０からπの範囲を有するからである。変調ビット幅が「１０」である場合には、信号位相はπを超える可能性がある。この場合には、応答は「８」が起こる位置に折り返される。しかし、両方の幅が同時に起こることはないので、符号間干渉（ＩＳＩ）の問題は起きない。
【００８２】
位相検出用の排他的オア（ＥＸ−ＯＲ）またはＤ型フリップ・フロップの代わりに、変調除去分岐から送られた基準信号および注入増幅器から出て比較分岐に向かう信号と共に平衡変調器を使用することができる。ＩＦ出力ポートは、明らかに位相変化点を示す。性能を向上させるためには、検出分岐ではノイズを最小限に抑えておかなければならない。この信号は、元の非ゼロ復帰（ＮＲＺ）信号を再構成するためのこのビット・ストリームである。モノ・ショット（ｍｏｎｏ  ｓｈｏｔ）回路からの位相変化出力は、１つのパルスしか捕捉しない。これはビット幅「８」に相当する。デコーダを刻時することができるように、この信号からクロック信号が生成される。
【００８３】
位相変化検出器からのもう１つの出力は、両パルスを捕捉するがそれらの間の全てのスパイクをフィルタ除去するモノ・ショットを介して処理され、望ましい信号がＤ型フリップ・フロップに送られ、クロック信号で刻時される。このフリップ・フロップの出力は、元の符号化される前のデータとなる。
【００８４】
ベースバンド・データ処理方法について、図１に戻ると、外部ソースからのプレーン・データは、最初にブロック符号化され、リード・ソロモン（ＲＳ）誤り訂正コードを使用した順方向誤り訂正（ＦＥＣ）を施される。パケッタイザが、ヘッダおよびその他の冗長ビットをＦＥＣブロックに付加して、データ・パケットを形成する。パケット化されたデータは圧縮チャネル符号化を施される。次いで、符号化されたデータが無線周波（ＲＦ）回路によって変調され、ＲＦリンクを介して送信される。
【００８５】
受信機では、無線周波（ＲＦ）リンクを介して受信した符号化データを復調してベースバンド信号にし、デコーダに渡す。復号されたデータはパケット化解除され、ＦＥＣデータ・ブロックがリード・ソロモン（ＲＳ）デコーダ回路に送られる。ＲＳデコーダ回路は、誤りを検査し、訂正する。誤りのない元のプレーン・データ・ストリームは、宛先に送られる。符号化プロセスおよび復号プロセスで行われる各ステップについて、以下で更に述べる。
【００８６】
送信機１１２はＦＥＣエンコーダ１１８を含み、ここで生ユーザ・データはそれぞれ２３５バイトのブロックにグループ化される。ＲＳコード化（２５５、２３５）を各ブロックに適用する。２３５バイトのブロックでは、２０バイトの誤り検査バイトが付加される。パケッタイザ１２０は、ＦＥＣ符号化データ・ブロックにヘッダ・ビットおよびトレーラ・ビットを付加し、パケットとして送信する。圧縮エンコーダ１２２は、一意的な符号化方式を使用して、圧縮のためにデータ・パケットを符号化する。
【００８７】
受信機１１６は圧縮デコーダ１２４を含み、ここでＲＦ段からの受信されたデータ・ストリームは復号され、元のデータ・パケットが取り出される。デパケッタイザ１２６は、受信したデータ・パケットからヘッダおよびその他のプリアンブルを除去する。更に、ＦＥＣデコーダ１２８は、ＦＥＣコード化された受信したデータ・ブロックを、誤り訂正のために処理する。
【００８８】
符号化方式は、入力データのエッジ遷移に基づいている。符号化データの幅は、入力データの遷移に応じて変化する。データ・ビット・レートの９倍の高いクロックを使用する。このクロックは、ＣＬＫ＿９またはＣＬＫ×９と呼ぶ。その結果生じるコードは、入力データの遷移に応じて、ＣＬＫ＿９の幅の８倍、９倍、または１０倍という、３つの位相位置を有する。低状態から高状態への遷移は、８クロック周期で表され、高状態から低状態への遷移は１０クロック周期で表され、遷移なしは９クロック周期で表される。
【００８９】
符号化データは、各入力データ・ビットに対して遷移を有する。これにより、コードは、ベースバンド・スペクトラムが２つの帯域の近傍に集まる２相コード化の利点を実現することができる。更に搬送波抑圧を使用すると、高い帯域幅効率が達成される。更に、出力コード遷移は各ビットの中心にある。これにより、帯域幅効率が更に改善される。
【００９０】
図２を参照して、エンコーダの例示的な実施態様について説明する。奇数分周比では、ＭＰ３音源は、動作するためには４．０９６ＭＨｚのクロックを必要とする。本システムでは、１８．４３２ＭＨｚの結晶を周波数源として使用する。これにより、４．５の奇数分周比が必要となる。分周は、有限状態機械設計を用いて実施する。基本カウンタは、０００から１１１までカウントする。最上位ビットに対してこのクロックでＸＯＲを行い、カウント０１１から１００に遷移する位置に追加エッジを与える。更に、このカウント・シーケンスは、状態マシンを用いて制御する。カウント４をカウント４．５に延ばすと効果的である。
【００９１】
入力データ・エッジは、ディジタル技術を用いて検出する。入力データの正のエッジおよび負のエッジをそれぞれ捕捉するために２つのエッジ・トリガ式ラッチを使用する。これらのラッチは、同期して、クロックの立ち上がりエッジで生成される「ラッチ・クリア」信号でクリアされる。このタイプのエッジ検出には２つの利点がある。第１は、従来のエッジ検出とは異なり、外部の抵抗器およびコンデンサを使用せずに済むことである。第２の、より重要な利点は、全ての位相遷移の基準として使用される局所クロックの立ち上がりエッジまで、エッジが可視状態のままであることである。これにより、乱調状態によるエッジの見落としの問題が回避され、直接同期ディジタル設計の実施も可能となる。
【００９２】
局所クロックを分周して、符号化に使用するＣＬＫ＿９クロックを生成する。このクロック生成は、入力データのエッジと同期しており、シーケンス生成器への入力として使用される。２つのシーケンス生成器を使用して、符号化出力を生成する。一方の生成器は５個の１と４個の０とを生成し、もう一方の生成器は４個の１と５個の０とを生成する。このように５と４を選択することにより、各データ・ビットの中心で符号化波形を変化させることが可能になる。
【００９３】
乗算器は、入力データの状態に応じて、シーケンス生成器の出力を選択する。乗算器の出力は圧縮符号化データである。エンコーダからの出力は、低域フィルタリングされている。これにより、可変幅パルスがテント写像および反転テント写像に与えられ、次いでこれを使用して１０．７ＭＨｚ副搬送波を変調する。
【００９４】
復号は、図３に示すように行う。復号方式は、符号化したデータ入力のエッジおよび幅に基づいて作用する。７ビット・バイナリ・カウンタを２つ使用して入来のデータの幅を測定し、出力データの判定は３つのカウンタに基づいて行う。入力エッジ検出回路は、カウンタの各値を同期させる。可変閾値を用いた軟判定技術を供給して、出力データの状態を判定する。データ・ビット・レートのクロックを局所的に生成して、入力データ・ストリームと同期させる。次いで、この同期クロックで出力データをラッチする。
【００９５】
入力データ・エッジは、ディジタル技術を用いて検出する。これは、エンコーダで行うのと同じである。２つのエッジ・トリガ式ラッチを使用して、入力データの正のエッジおよび負のエッジをそれぞれ捕捉する。これらのラッチは、同期して、クロックの立ち上がりエッジで生成される「ラッチ・クリア」信号でクリアされる。
【００９６】
１８．４３２ＭＨｚの局所結晶クロック生成器は分周されて２つのクロック信号を生成する。ＣＬＫ＿７２は、データ・レートの７２倍である。これを使用して、データ・サンプリングおよび入力データ幅のカウントを行う。もう一方のクロックは、データ・レートと同じであり、最終データ出力をラッチするために使用する。
【００９７】
第１のカウンタ（カウンタ１）を使用して、エンコーダＣＬＫ＿９クロックからの入力データ幅１０を追従する。デコーダでは、ＣＬＫ＿７２クロックをカウンタに使用するので、カウント８０は、幅１０のパルスをカウントする事象を示す。カウンタ１のカウントが８０に達すると、８０カウント検出器５１８が、カウンタ２をリセットする。これは一意的な事象であり、論理０とそれに続く論理１の受信を常に表している。カウンタ２は、自走モードで０から１２７までをカウントする７ビット・バイナリ・カウンタである。
【００９８】
３２／４０カウント検出器５２２は、カウンタ２のカウント・シーケンスを制御する。３２／４０カウント検出器５２２は、以下のように実施される。検出されたあらゆるエッジにおいて、定数がこのカウンタにロードされる。この定数値は、エッジにおけるカウントに基づいて決定され、以下に示す値のうちの１つにすることができる。即ち、エッジがリセットの３２（即ち、４×８）カウント後に生じた場合には、定数値は８８（即ち、１２８−４０）である。エッジがリセットの４０（即ち５×８）カウント後に生じた場合には、呈すうちは９６（即ち１２８−３２）である。
【００９９】
定数値は、次に入って来る符号化データ・ビットの開始時にカウンタのカウントが０になるように選択される。これを、出力データ遷移生成に使用する。３２／４０カウント検出器５２２によって決定された定数は、この回路に記憶され、符号化データの立ち上がりエッジの時にカウンタ２にロードされる。カウンタ２のカウントが０に達したことは、同期回路に記録され、局所生成クロックを同期するために使用される。復号データは、同期クロックでラッチされ、ラッチの出力は最終復号データとなる。
【０１００】
このように、本発明は、カオス周波数変調を使用した新しいタイプの安全な同期通信システムを提供する。このシステムの新しい特徴は、有界状態空間領域内に収まるように、波形の起こりうる軌跡の結合した非対称テント写像を生成するようにして情報ビット・ストリームを符号化することである。付随的な利点として、変換は中間ＲＦ周波数へのものであるが、カオス摂動全体を非常に狭い帯域幅に収めることができ、従ってシステム中のノイズを低減することができる。ここで使用する技術は、アナログ信号をディジタル領域に符号化して、同じ帯域幅領域内のディジタル信号として処理することを可能にする。受信機側では、同様のアルゴリズム生成器を使用して、受信機を送信機に同期させる。
【０１０１】
ディジタル信号における非線形カオス・プロセスを損なうことなく、適当な解の近傍間の最大距離について記号力学および符号化を実施することにより、同期のためのシステム・パラメータ調整の柔軟性が得られる。本明細書に開示のシステムは、従来のシステムに優る重要な利点を有する。
【０１０２】
第１に、このシステムはディジタルである。第２に、カオス・シーケンスは、記号エンコーダに遅延素子（排他的オア（ＥＸ−ＯＲ））要素を有している必要がある。符号化シーケンスは、入力ディジタル・ストリームのレベル遷移に依存して、遅延を自動的に考慮にいれる。
【０１０３】
第３に、カオス同期は、エンコーダが位相摂動を探す高速検出器によって検出することができる定常カオス・プロセスを変更することにより生じる結合した非対称テント写像により起こる。符号化アルゴリズムは、自動的に同期および情報伝送を可能にする。記号アルゴリズムと非線型カオス生成とを組み合わせることにより、無線周波（ＲＦ）テント写像が自動的に生成される。このプロセスは、送信機および受信機の両方における鮮鋭ノイズ削減フィルタを可能にし、優れたノイズ性能をもたらす点で特有のものである。
【０１０４】
第４に、符号化アルゴリズムの選択により、空間軌道の相対軌道をきわめて精密に制御することができる。これは、記号選択によって参照窓が極端に制限されることを意味する。帯域フィルタがカオス信号を忠実に通過させることができる限り、リヤプノフ指数が確実に負になるようにして受信機において復号を行うことができる。
【０１０５】
第５に、カオス・システムの従来の開示は、本質的に発散型または広帯域であり、データ転送量も比較的少なかった。本システムは、２０〜２５ｋＨｚの帯域幅で１０〜１２Ｍｂｐｓの送信が可能である。これは、従来の意味のシャノン限界に束縛されない。コルモゴロフ・シナイの境界をエントロピー関数に適用して、演算理論を説明する。直観的に、これは厳密に制御された制約を有する時空的変調であるから、信号の相関関係のない部分は必要な情報を全くもたず、従ってフィルタで除去することができる。
【０１０６】
第６に、符号化方法を選択することにより、複雑なメディア・アクセス制御（Ｍｅｄｉａ  Ａｃｃｅｓｓ  Ｃｏｎｔｒｏｌ：ＭＡＣ）層を生み出すことなく様々な基準とのシームレスなインタフェースをとることが可能である。第７に、記号状態における本明細書に開示の制約は、その結果の変調の必要帯域幅を大幅に減少させる。
【０１０７】
従って、本発明によるアーキテクチャは、既存のシステムのコストおよび複雑さにおける諸制限に対処するものである。更に、システムの実施形態は、帯域幅制限されたＲＦ帯域において複数の高速ディジタル・サービスを実現することができる。フレキシブルなアーキテクチャにより、任意の無線、テレビジョンまたはセルラ・ステーションは、ＦＣＣ（Ｆｅｄｅｒａｌ  Ｃｏｍｍｕｎｉｃａｔｉｏｎｓ  Ｃｏｍｍｉｓｓｉｏｎ）のパワー・スペクトル規格を逸脱することなく、基本送信周波数の片側の別々の副搬送波で別々のディジタル情報を送信することができるようになる。変調プロセスおよび復調プロセスは従来の無線受信機と非常に類似しているので、既存の無線アーキテクチャと一体化することができる。
【０１０８】
要約すれば、本発明の実施形態は、本質的に安全で、メディア・アクセス制御（ＭＡＣ）がなく、且つ既存のシステムと容易にインタフェースで接続することができる、複雑さが低くデータ・レートの高い通信システムを供給する。これらの実施形態では、検出のエネルギー利用が全ビット幅のきわめて小さな部分であるタイミング式変調方式を使用するので、マルチパスの影響は最小限に抑えられる。
【０１０９】
本発明の以上その他の特徴および利点は、当業者なら、本明細書の教示に基づいて容易に確認することができるであろう。本発明の教示は、ハードウェア、ソフトウェア、ファームウェア、特定目的プロセッサまたはそれらの組合せの様々な形態で実施することができることを理解されたい。
【０１１０】
本発明の教示は、ハードウェアおよびソフトウェアの組合せとして実施することができる。更に、ソフトウェアは、プログラム記憶ユニットで具体的に実施されるアプリケーション・プログラムとして実施されることが好ましい。アプリケーション・プログラムは、任意の適当なアーキテクチャを含む機械にアップロードすることも、それによって実行することもできる。この機械は、１つまたは複数の中央処理装置（ＣＰＵ）ランダム・アクセス・メモリ（ＲＡＭ）、入力／出力（Ｉ／Ｏ）インタフェースを有するハードウェアを有するコンピュータ・プラットフォーム上で実施されることが好ましい。このコンピュータ・プラットフォームは、オペレーティング・システムおよびマイクロ命令コードを含むこともできる。本明細書に記載の様々な処理および機能は、ＣＰＵによって実行することができる、マイクロ命令コードの一部とすることも、アプリケーション・プログラムの一部とすることも、またはそれらの任意の組合せにすることもできる。更に、追加のデータ記憶装置や出力装置など、様々な周辺機器をコンピュータに接続することもできる。
【０１１１】
更に、添付の図面に図示したシステムの構成要素および方法の機能ブロックはソフトウェアで実施することができるので、システム構成要素間またはプロセス機能ブロック間の実際の接続は、本発明をプログラムする方法によって異なることを理解されたい。本明細書の教示により、当業者なら、本発明の上記のまたそれと同様の実施態様または構成を企図することができるであろう。
【０１１２】
本明細書の教示に基づいて当業者なら分かるであろうが、代替の実施形態も可能である。本明細書に与えた本発明の教示により、当業者なら、本発明の範囲および趣旨を逸脱することなく、送信機１１２および受信機１１６並びにシステム１１０のその他の要素の様々な代替の構成および実施態様を思いつくであろう。
【０１１３】
本明細書では、添付の図面を参照しながら例示的な実施形態について述べたが、本発明は、これらの実施形態に限定されるものではなく、当業者なら、本発明の特許請求の範囲または趣旨を逸脱することなく、それらに様々な変更および変更を行うことができることを理解されたい。これら全ての変更および変更は、添付の特許請求の範囲に記載する本発明の範囲内に含まれるものとする。
【図面の簡単な説明】
【０１１４】
【図１】狭帯域カオス２相位相変調を行うシステムを示すブロック図である。
【図２】図１のシステムによる圧縮エンコーダを示すブロック図である。
【図３】図１のシステムによる圧縮デコーダを示すブロック図である。
【図４】図１のシステムと共に使用する非対称テント写像のプロットを示す図である。
【図５】図１のシステムと共に使用する別の非対称テント写像のプロットを示す図である。
【図６】図６の（ａ）は図１のシステムと共に使用するベルヌーイ・シフト・プロセスであるシフト・レジスタを示す概略図であり、図６の（ｂ）は図１のシステムと共に使用する図６の（ａ）のシフト・レジスタによる、シフト写像からテント写像への変換を示す関数図である。
【図１】
2005514805.tif 000023
【図２】
2005514805.tif 000024
【図３】
2005514805.tif 000025
【図４】
2005514805.tif 000026
【図５】
2005514805.tif 000027
【図６】
2005514805.tif 000028
【国際調査報告】
2005514805.tif 000029
2005514805.tif 000030